(57)【要約】      （修正有）【課題】２枚の異なる非接触ＩＣカードを一つのケースに入れてケースの裏、表でそれぞれに対応したリーダーライタにタッチして使用出来る非接触ＩＣカード入れケースを提供する。【解決手段】リーダーライタに適合したＩＣカード側のケース側面をタッチしたときに、反対側の適合してないＩＣカードに、磁力線の反応を及ぼさないようにした非磁性体ケース１の中に常磁性体又は弱磁性体の板又は箔２を非磁性体のスペーサー３、４で挟み、これら２、３、４を一体的にケース１に付着し、外れ難いようにして、その両側とケース内の間にそれぞれＩＣカードを入れるケースを特徴とする。折り曲げ式ケース７の場合も同様である。【選択図】図１
2008305363.tif 000002
【特許請求の範囲】
【請求項１】
非磁性体ケース（１）の中に常磁性体または弱磁性体の板又は箔（２）を設け、その両側に非磁性体（３），（４）を設け、その非磁性体（３）、（４）と非磁性体ケース（１）内の間に非接触ＩＣカード（５）、（６）を入れて使用するタッチ式非接触ＩＣカード入れケース。
【請求項２】
上記ケースで外側よりカードが分かる程度にケースを透明又は、切欠き又はくり抜きしたケース。
【請求項３】
折り曲げ式非磁性体ケース（７）で、その中に常磁性体または弱磁性体の板又は箔（２）を設け、ケースを折り曲げたとき、常磁性体または弱磁性体の板又は箔（２）の両側にスペーサーとしての非磁性体（３）、（４）が位置し、これら非磁性体とケース（７）内の間に非接触ＩＣカード（５）、（６）を入れて使用する折り曲げタッチ式非接触ＩＣカード入れケース。
【請求項４】
上記ケースで外側よりカードが分かる程度にケースを透明又は、切欠き又はくり抜きしたケース。
【発明の詳細な説明】
【技術分野】
【０００１】  この発明は、ケースに２枚の非接触ＩＣカードを入れていても、ケースをリーダーライタにタッチして用途を満たす常磁性体又は弱磁性体を内蔵したタッチ式非接触ＩＣカード入れケースに関するものである。
【背景技術】
【０００２】  従来、非接触ＩＣカードをケースに２枚以上入れている場合、パスしょうとしているリーダライタに対応してない非接触ＩＣカードの電磁的影響を受けないように、リーダーライタに対応した非接触ＩＣカードを定期入れから出してリーダーライタにタッチするか、あるいは折りたたみ式ケースで、非接触ＩＣカードを１枚づつ入れたケースで、互いに非接触ＩＣカードの影響を受けないように、広げてタッチしてパスしている。
【発明の開示】
【発明が解決しょうとする課題】
【０００３】  ２枚以上の非接触ＩＣカードを通常ケースに入れて、ケースごとリーダーライタにタッチしてもリーダーライタは適宜な反応せず、使用できない。ＩＣカードを、磁力線が互いに影響を及ぼさない程度に減衰する程度までに相当離さなければならず、ケースが相当厚くなる。又一枚づつ別々のケースに入れると亡くしやすい。またポケット、カバン等から取出すとき間違いやすい。ケースよりカードを抜出しタッチしてまたケースに入れるのも面倒である。折りたたみ式ケースでは、非接触ＩＣカードを１枚ずつ入れたケースで、互いにＩＣカードの影響を受けないように、折り曲げずに広げて使用しなければならない。
【課題を解決するための手段】
【０００４】  非接触ＩＣカード入れケースをリーダーライタにタッチしたときに、それに適合した非接触ＩＣカード（５）が反応し、他の非接触ＩＣカード（６）が影響しないように、非接触ＩＣカード間に、これと縦、横寸法が同様の寸法の常磁性体または弱磁性体（２）を設けて、リーダーライタおよびＩＣカード（５）で発生する磁力線がなるべく磁性体を通るように流れを変え、またＩＣカード（６）への磁力線を弱くして、ＩＣカード（６）に、常磁性体または弱磁性体（２）が無い場合に比較して、電磁的影響を及ぼすのを少なくし、ＩＣカード（６）で誘導される電磁的影響でリーダーライタとＩＣカード（５）との通信に影響を及ぼさないようにしたものである。またＩＣカード（５）、（６）と常磁性体または弱磁性体（２）との間にＩＣカードと縦、横寸法が同等以上の寸法の非磁性体のスペーサー（３）、（４）を設け、ＩＣカード（５）とリーダーライタの通信に、常磁性体または弱磁性体（２）の誘導による影響を及ぼさないようにしたものである。
本発明は以上の構成よりなるタッチ式非接触ＩＣカード入れケースである。
【発明の効果】
【０００５】  種類の違う非接触ＩＣカードを２枚ケースに入れていても、乗り換え時、リーダーライタに適合したＩＣカードを取出さなくても、その適合したＩＣカード側のケース外側面をリーダーライタにタッチしてパスし、用途を満足する。又複数枚の非接触ＩＣカードを別々のケースにいれている必要はない。
【発明を実施するための最良の形態】
【０００６】  本発明の実施形態について図面を参照して説明する。
非磁性体ケース（１）の中に常磁性体又は弱磁性体の板又は箔（２）を設ける。それを挟むように両側にスペーサーとしての非磁性体の板（３）、（４）を設ける。これら（２）、（３）（４）はケース（１）内でケース（１）と外れ難いように、一体的にケースに付着している。スペーサー（３）、（４）と非磁性体ケース（１）の内側の間にＩＣカード（５）、（６）を入れる。本発明は、以上のような構造である。これを使用するときは、リーダーライタに適合したＩＣカード（５）側のケース外面をケース毎、そのままリーダーライタにタッチすれば用途を満足する。別のリーダーライタに使用する場合は、反対面の対応しているＩＣカード（６）側のケース外面をタッチしてパスする。材料（２）について、アルミ箔の場合は軽量化が可能で、コストも安いが、スペーサーは常磁性体の場合と比べて若干厚くなる。ＳＵＳの薄板等常磁性体材は磁力線を取込むので、スペーサーは逆にアルミ箔に比べて薄くできるが、コスト、軽量化の点でやや下回る。スペーサーはダンボール等の紙材で良い。
【図面の簡単な説明】
【０００７】
【図１】  本発明の斜視図である。
【図２】  本発明の斜視図で、カードが分かるようにケースを一部切欠きしている。
【図３】  本発明の斜視図で、カードが分かるようにケースを一部くりぬき、又は透明にしている。
【図４】  本発明の斜視図で、ケース（１）に（２）、（３）、（４）を接着剤等で付着し、外れないようにした事例である。他にケースに縫い付けて固定する方法もある。
【図５】  常磁性体又は弱磁性体の板又は箔（２）を非磁性体のスペーサー（３）、（４）で挟んだプレート斜視図である。
【図６】  折り曲げ式ケースの場合の本発明の斜視図である。中が分かるように一部切欠いて描いている。
【図７】  折り曲げ式ケースの場合のケース（７）外側部一部くり抜き又は透明にしたものである。中が分かるように一部切欠いて描いている。
【符号の説明】
【０００８】  １  非磁性体ケース
２  常磁性体、又は弱磁性体の板、又は箔
３  非磁性体のスペーサー
４  非磁性体のスペーサー
５  ＩＣカード
６  ＩＣカード
７  折り曲げ式非磁性体ケース
【図１】
2008305363.tif 000003
【図２】
2008305363.tif 000004
【図３】
2008305363.tif 000005
【図４】
2008305363.tif 000006
【図５】
2008305363.tif 000007
【図６】
2008305363.tif 000008
【図７】
2008305363.tif 000009